(57)【特許請求の範囲】
【請求項１】
フレキシブル回路基板、第１ドライバチップ、第２ドライバチップ及び表示パネルを含み、
前記表示パネルは、シームレスに接続された第１表示領域及び第２表示領域を含み、
前記第１ドライバチップ及び前記第２ドライバチップは、前記表示パネルに取り付けられ、
前記フレキシブル回路基板は、システムボードと前記第１ドライバチップ及び前記第２ドライバチップとを電気的に接続し、
前記システムボードは、前記第１ドライバチップに画像信号及び第１同期信号を送信し、
前記第１ドライバチップは、前記第１同期信号に基づき、前記画像信号に含まれる画像内容の一部分が表示されるように前記第１表示領域を駆動し、
前記システムボードは、前記第２ドライバチップに前記画像信号及び第２同期信号を送信し、
前記第２ドライバチップは、前記第２同期信号に基づき、前記画像信号に含まれる画像内容の他部分が表示されるように前記第２表示領域を駆動し、
前記第１同期信号及び前記第２同期信号は、画像が同期して表示されるように前記第１表示領域及び前記第２表示領域を制御し、
対向して設けられたカラーフィルム基板及びアレイ基板をさらに含み、
前記アレイ基板は、シームレスに接続された第１部分及び第２部分を含み、
前記第１表示領域は、前記第１部分と前記カラーフィルム基板との組み合わせによって形成され、
前記第２表示領域は、前記第２部分と前記カラーフィルム基板との組み合わせによって形成され、
前記第１ドライバチップは、前記第１部分に取り付けられ、前記第１表示領域に対応するデータ線及び走査線に電気的に接続され、
前記第２ドライバチップは、前記第２部分に取り付けられ、前記第２表示領域に対応するデータ線及び走査線に電気的に接続され、
前記フレキシブル回路基板は、第１フレキシブル回路基板及び第２フレキシブル回路基板を含み、
前記第１フレキシブル回路基板の入力端及び出力端は、それぞれ前記システムボード及び前記第１部分に接続され、
前記第１フレキシブル回路基板は、分岐端をさらに含み、
前記第２フレキシブル回路基板の入力端及び出力端は、それぞれ前記分岐端及び前記第２部分に接続され、
前記第１フレキシブル回路基板は、前記第１部分の辺縁から前記表示パネルの非表示面側に向かって曲折され、
前記第２フレキシブル回路基板は、前記第２部分の辺縁から前記表示パネルの非表示面側に向かって曲折される
表示モジュール。
【請求項２】
バックライトモジュールをさらに含み、
前記バックライトモジュールは、前記表示パネルの非表示面側に位置し、前記表示パネルにバックライトを供給する、請求項１に記載の表示モジュール。
【請求項３】
表示モジュールを含む液晶ディスプレイであって、
前記表示モジュールは、フレキシブル回路基板、第１ドライバチップ、第２ドライバチップ、及び表示パネルを含み、
前記表示パネルは、シームレスに接続された第１表示領域及び第２表示領域を含み、
前記第１ドライバチップ及び前記第２ドライバチップは、前記表示パネルに取り付けられ、
前記フレキシブル回路基板は、システムボードと前記第１ドライバチップ及び前記第２ドライバチップとを電気的に接続し、
前記システムボードは、前記第１ドライバチップに画像信号及び第１同期信号を送信し、
前記第１ドライバチップは、前記第１同期信号に基づき、前記画像信号に含まれる画像内容の一部分が表示されるように前記第１表示領域を駆動し、
前記システムボードは、前記第２ドライバチップに前記画像信号及び第２同期信号を送信し、
前記第２ドライバチップは、前記第２同期信号に基づき、前記画像信号に含まれる画像内容の他部分が表示されるように前記第２表示領域を駆動し、
前記第１同期信号及び前記第２同期信号は、画像が同期して表示されるように前記第１表示領域及び前記第２表示領域を制御し、
前記表示モジュールは、対向して設けられたカラーフィルム基板及びアレイ基板をさらに含み、
前記アレイ基板は、シームレスに接続された第１部分及び第２部分を含み、
前記第１表示領域は、前記第１部分と前記カラーフィルム基板との組み合わせによって形成され、
前記第２表示領域は、前記第２部分と前記カラーフィルム基板との組み合わせによって形成され、
前記第１ドライバチップは、前記第１部分に取り付けられ、前記第１表示領域に対応するデータ線及び走査線に電気的に接続され、
前記第２ドライバチップは、前記第２部分に取り付けられ、前記第２表示領域に対応する前記データ線及び前記走査線に電気的に接続され、
前記フレキシブル回路基板は、第１フレキシブル回路基板及び第２フレキシブル回路基板を含み、
前記第１フレキシブル回路基板の入力端及び出力端は、それぞれ前記システムボード及び前記第１部分に接続され、
前記第１フレキシブル回路基板は、分岐端をさらに含み、
前記第２フレキシブル回路基板の入力端及び出力端は、それぞれ前記分岐端及び前記第２部分に接続され、
前記第１フレキシブル回路基板は、前記第１部分の辺縁から前記表示パネルの非表示面側に向かって曲折され、
前記第２フレキシブル回路基板は、前記第２部分の辺縁から前記表示パネルの非表示面側に向かって曲折される、液晶ディスプレイ。
【請求項４】
前記表示モジュールは、バックライトモジュールをさらに含み、
前記バックライトモジュールは、前記表示パネルの非表示面側に位置し、前記表示パネルにバックライトを供給する、請求項３に記載の液晶ディスプレイ。
【請求項５】
センシングユニットをさらに含み、
前記センシングユニットは、前記表示パネルの液晶画素ユニットに嵌合され、ユーザの前記液晶ディスプレイへのタッチによる電気信号を受信する、請求項３に記載の液晶ディスプレイ。
【請求項６】
前記センシングユニットは、複数の第１センシングユニット及び複数の第２センシングユニットを含み、
前記第１センシングユニットは、前記第１表示領域にアレイに配置され、
前記第２センシングユニットは、前記第２表示領域にアレイに配置される、請求項５に記載の液晶ディスプレイ。
【請求項７】
前記第１ドライバチップは、前記第１センシングユニットに電気的に接続され、前記第１センシングユニットが伝送した電気信号を処理し、
前記第２ドライバチップは、前記第２センシングユニットに電気的に接続され、前記第２センシングユニットが伝送した電気信号を処理する、請求項６に記載の液晶ディスプレイ。
【発明の詳細な説明】
【技術分野】
【０００１】
本出願は、２０１６年１０月１８日に提出された中国特許出願２０１６１０９０６７２１．８（発明の名称：表示モジュール及び液晶ディスプレイ）の優先権を主張し、その内容を参照により本明細書に組み込む。
【０００２】
本発明は、表示技術分野に関し、特に表示モジュール及び液晶ディスプレイに関する。
【背景技術】
【０００３】
液晶ディスプレイは、現代の表示装置において代替できないものであり、携帯電話、デジタルカメラ、ハンドヘルドコンピュータ、ＧＰＲＳなどのポータブル携帯電子製品の表示機器に広く使用されている。時代の発展に伴い、液晶ディスプレイの表示効果に対する消費者の要求が益々高くなっている。液晶ディスプレイは、高解像度化が進むと同時に、画面サイズも大きくなっている。しかし、画面サイズの増大及び解像度の向上のため、ディスプレイの負荷が大きくなり、表示パネルの信号の減衰が速くなる問題が生じ、大型ディスプレイに良好な表示効果を維持することは困難である。
【０００４】
従来技術において、表示モジュールは、表示パネルの一端に位置するドライバチップにより表示領域における画素の充電を駆動することにより画像を表示している。ディスプレイのサイズが大きくなると、表示パネルにおける充電信号の減衰が大きくなるため、表示領域のドライバチップから遠い端における画素とドライバチップに近い端における画素の表示が不均衡となり、全ての画素の充電が完了するまでの時間が長くなり、表示効果が悪くなる恐れがある。
【発明の概要】
【０００５】
本発明は、上記前記の事情を鑑みてなされたものであり、従来技術の表示パネルにおける充電信号の減衰が大きくなるため、表示領域のドライバチップから遠い端における画素とドライバチップに近い端における画素の表示が不均衡となり、全ての画素の充電が完了するまでの時間が長くなり、表示効果が悪くなるという技術問題を解決するために、表示モジュール及び液晶ディスプレイを提供することを目的とする。
【０００６】
本発明によれば、フレキシブル回路基板、第１ドライバチップ、第２ドライバチップ、及び表示パネルを含み、前記表示パネルは、シームレスに接続された第１表示領域及び第２表示領域を含み、前記第１ドライバチップ及び前記第２ドライバチップは、前記表示パネルに取り付けられ、前記フレキシブル回路基板は、システムボードと前記第１ドライバチップ及び前記第２ドライバチップとを電気的に接続し、前記システムボードは、前記第１ドライバチップに画像信号及び第１同期信号を送信し、前記第１ドライバチップは、前記第１同期信号に基づき、前記画像信号に含まれる画像内容の一部分が表示されるように前記第１表示領域を駆動し、前記システムボードは、前記第２ドライバチップに前記画像信号及び第２同期信号を送信し、前記第２ドライバチップは、前記第２同期信号に基づき、前記画像信号に含まれる画像内容の他部分が表示されるように前記第２表示領域を駆動し、前記第１同期信号及び前記第２同期信号は、画像が同期して表示されるように前記第１表示領域及び前記第２表示領域を制御する、表示モジュールが提供される。
【０００７】
前記表示モジュールは、対向して設けられたカラーフィルム基板及びアレイ基板をさらに含み、前記アレイ基板は、シームレスに接続された第１部分及び第２部分を含み、前記第１表示領域は、前記第１部分と前記カラーフィルム基板との組み合わせによって形成され、前記第２表示領域は、前記第２部分と前記カラーフィルム基板との組み合わせによって形成される。
【０００８】
前記第１ドライバチップは、前記第１部分に取り付けられ、前記第１表示領域に対応するデータ線及び走査線に電気的に接続され、前記第２ドライバチップは、前記第２部分に取り付けられ、前記第２表示領域に対応するデータ線及び走査線に電気的に接続される。
【０００９】
前記フレキシブル回路基板は、第１フレキシブル回路基板及び第２フレキシブル回路基板を含み、前記第１フレキシブル回路基板の入力端及び出力端は、それぞれ前記システムボード及び前記第１部分に接続され、前記第１フレキシブル回路基板は、分岐端をさらに含み、前記第２フレキシブル回路基板の入力端及び出力端は、それぞれ前記分岐端及び前記第２部分に接続される。
【００１０】
前記第１フレキシブル回路基板は、前記第１部分の辺縁から前記表示パネルの非表示面側に向かって曲折され、前記第２フレキシブル回路基板は、前記第２部分の辺縁から前記表示パネルの非表示面側に向かって曲折される。
【００１１】
前記表示モジュールは、バックライトモジュールをさらに含み、前記バックライトモジュールは、前記表示パネルの非表示面側に位置し、前記表示パネルにバックライトを供給する。
【００１２】
本発明によれば、表示モジュールを含む液晶ディスプレイであって、前記表示モジュールは、フレキシブル回路基板、第１ドライバチップ、第２ドライバチップ、及び表示パネルを含み、前記表示パネルは、シームレスに接続された第１表示領域及び第２表示領域を含み、前記第１ドライバチップ及び前記第２ドライバチップは、前記表示パネルに取り付けられ、前記フレキシブル回路基板は、システムボードと前記第１ドライバチップ及び前記第２ドライバチップとを電気的に接続し、前記システムボードは、前記第１ドライバチップに画像信号及び第１同期信号を送信し、前記第１ドライバチップは、前記第１同期信号に基づき、前記画像信号に含まれる画像内容の一部分が表示されるように前記第１表示領域を駆動し、前記システムボードは、前記第２ドライバチップに前記画像信号及び第２同期信号を送信し、前記第２ドライバチップは、前記第２同期信号に基づき、前記画像信号に含まれる画像内容の他部分が表示されるように前記第２表示領域を駆動し、前記第１同期信号及び前記第２同期信号は、画像が同期して表示されるように前記第１表示領域及び前記第２表示領域を制御する、液晶ディスプレイが提供される。
【００１３】
前記表示モジュールは、対向して設けられたカラーフィルム基板及びアレイ基板を含み、前記アレイ基板は、シームレスに接続された第１部分及び第２部分を含み、前記第１表示領域は、前記第１部分と前記カラーフィルム基板との組み合わせによって形成され、前記第２表示領域は、前記第２部分と前記カラーフィルム基板との組み合わせによって形成される。
【００１４】
前記第１ドライバチップは、前記第１部分に取り付けられ、前記第１表示領域に対応するデータ線及び走査線に電気的に接続され、前記第２ドライバチップは、前記第２部分に取り付けられ、前記第２表示領域に対応する前記データ線及び前記走査線に電気的に接続される。
【００１５】
前記フレキシブル回路基板は、第１フレキシブル回路基板及び第２フレキシブル回路基板を含み、前記第１フレキシブル回路基板の入力端及び出力端は、それぞれ前記システムボード及び前記第１部分に接続され、前記第１フレキシブル回路基板は、分岐端をさらに含み、前記第２フレキシブル回路基板の入力端及び出力端は、それぞれ前記分岐端及び前記第２部分に接続される。
【００１６】
前記第１フレキシブル回路基板は、前記第１部分の辺縁から前記表示パネルの非表示面側に向かって曲折され、前記第２フレキシブル回路基板は、前記第２部分の辺縁から前記表示パネルの非表示面側に向かって曲折される。
【００１７】
前記表示モジュールは、バックライトモジュールをさらに含み、前記バックライトモジュールは、前記表示パネルの非表示面側に位置し、前記表示パネルにバックライトを供給する。
【００１８】
前記液晶ディスプレイは、センシングユニットをさらに含み、前記センシングユニットは、前記表示パネルの液晶画素ユニットに嵌合され、ユーザの前記液晶ディスプレイへのタッチによる電気信号を受信する。
【００１９】
前記センシングユニットは、複数の第１センシングユニット及び複数の第２センシングユニットを含み、前記第１センシングユニットは、前記第１表示領域にアレイに配置され、前記第２センシングユニットは、前記第２表示領域にアレイに配置される。
【００２０】
前記第１ドライバチップは、前記第１センシングユニットに電気的に接続され、前記第１センシングユニットが伝送した電気信号を処理し、前記第２ドライバチップは、前記第２センシングユニットに電気的に接続され、前記第２センシングユニットが伝送した電気信号を処理する。
【００２１】
本発明によれば、第１ドライバチップ及び第２ドライバチップは、それぞれ画像が同期して出力されるように第１表示領域及び第２表示領域を駆動し、すなわち、第１ドライバチップ及び第２ドライバチップにより各画素電極の充電を同時に制御することにより、液晶ディスプレイの高解像度が保証されるとともに、画素の充電時間が半分となる。一方、第１ドライバチップ及び第２ドライバチップが同時に作業を駆動することにより、それぞれのドライバチップの負荷が低減され、充電信号の減衰が速いという問題が解決され、大型ディスプレイの表示効果が向上する。
【図面の簡単な説明】
【００２２】
以下、本発明の実施例の技術的手段を更に詳細に説明するために、実施例の説明に必要な図面を簡単に説明する。もちろん、下記の説明における図面は、本発明の幾つかの実施例に過ぎず、当業者は、これらの図面に基づき容易に他の図面を得ることができる。
【００２３】
【図１】本発明の実施例に係る表示モジュールの構造の上面図である。
【図２】本発明の実施例に係る表示モジュールの構造の側面図である。
【図３】本発明の実施例に係る表示モジュールの構造の背面図である。
【図４】本発明の実施例に係る液晶ディスプレイの構造の上面図である。
【図５】普通の液晶ディスプレイの充電信号パルスの模式図である。
【図６】本発明の実施例に係る液晶ディスプレイの充電信号パルスの模式図である。
【発明を実施するための形態】
【００２４】
以下では、本発明の実施例の添付図面を参照しながら、本発明の実施例の技術的解決手段を明確かつ完全に説明する。もちろん、ここで説明する実施例は、本発明の実施例の全部ではなく一部に過ぎない。当業者が本発明の実施例に基づき容易に得られる他の全ての実施例は、本発明の保護範囲に入る。
【００２５】
図１は、本発明の実施例に係る表示モジュールの構造の上面図である。同図に示すように、表示モジュールは、フレキシブル回路基板、第１ドライバチップ２０２、第２ドライバチップ２０４、及び表示パネル１０を含む。第１ドライバチップ２０２及び第２ドライバチップ２０４は、表示パネル１０に取り付けられる。具体的には、第１ドライバチップ２０２及び第２ドライバチップ２０４は、表示パネル１０の両端に対称に取り付けられ、且ついずれもフレキシブル回路基板を介してシステムボードに電気的に接続される。表示パネル１０の表示領域は、シームレスに接続された第１表示領域１０２及び第２表示領域１０４を含む。第１ドライバチップ２０２は、第１表示領域１０２に電気的に接続され、第２ドライバチップ２０４は、第２表示領域１０４に電気的に接続される。システムボードは、第１ドライバチップ２０２及び第２ドライバチップ２０４を制御することにより、画像が同期して出力されるように第１表示領域１０２及び第２表示領域１０４をそれぞれ対応して駆動する。
【００２６】
具体的には、システムボードは、第１ドライバチップ２０２に画像信号及び第１同期信号を送信し、第１ドライバチップ２０２は、第１同期信号に基づき、画像信号に含まれる画像内容の一部分が表示されるように第１表示領域１０２を駆動する。システムボードは、第２ドライバチップ２０４に画像信号及び第２同期信号を送信し、第２ドライバチップ２０４は、第２同期信号に基づき、画像信号に含まれる画像内容の他部分が表示されるように第２表示領域１０４を駆動する。また、第１同期信号及び第２同期信号は、画像が同期して表示されるように第１表示領域１０２及び第２表示領域１０４を制御する。第１ドライバチップ２０２及び第２ドライバチップ２０４は、画像が同期して出力されるように第１表示領域１０２及び第２表示領域１０４をそれぞれ駆動する。これにより、それぞれのドライバチップの負荷が低減され、充電信号の減衰が速いという問題が解決され、大型ディスプレイの表示効果が向上する。
【００２７】
本実施例において、図２に示すように、表示モジュールは、対向して設けられたカラーフィルム基板１２とアレイ基板１４、及び前記カラーフィルム基板１２と前記アレイ基板１４の間に位置する液晶層を含む。表示モジュールは、液晶層の液晶分子の偏向状態及びアレイ基板１４の動作状態に基づき、表示パネル１０の表示領域に画像が表示されるように調節する。アレイ基板１４は、シームレスに接続された第１部分１４２及び第２部分１４４を含み、表示パネル１０の第１表示領域１０２は、第１部分１４２とカラーフィルム基板１２との組み合わせによって形成され、表示パネル１０の第２表示領域１０４は、第２部分１４４とカラーフィルム基板１２との組み合わせによって形成される。第１表示領域１０２と第２表示領域１０４とはシームレスに接続されて完全な表示領域を形成する。第１表示領域１０２及び第２表示領域１０４は、いずれも同一の完全画像の一部を表示する。第１表示領域１０２及び第２表示領域１０４は画像を同期して表示することにより、液晶ディスプレイの高解像度が保証され、画素の充電時間が半分となり、表示モジュールの作業効率が向上する。
【００２８】
具体的には、第１ドライバチップ２０２は、第１部分１４２の辺縁、すなわち、表示パネル１０の一端の非表示領域に取り付けられる。第２ドライバチップ２０４は、第２部分１４４の辺縁、すなわち、表示パネル１０の他端の非表示領域に取り付けられる。さらに、表示パネル１０の内部には、列方向に配置された走査線及び行方向に配置されたデータ線を含む。第１ドライバチップ２０２は、第１表示領域１０２の内部のデータ線及び走査線に電気的に接続され、第１表示領域１０２の内部の走査線のゲート電圧を制御する。これにより、第１ドライバチップ２０２は、各列の薄膜トランジスタ（Ｔｈｉｎ−ｆｉｌｍ  ｔｒａｎｓｉｓｔｏｒ，ＴＦＴ）に順次連通され、各薄膜トランジスタに順次充電する。第２ドライバチップ２０４は、第２表示領域１０４の内部のデータ線及び走査線に電気的に接続され、第２表示領域１０４の内部の走査線のゲート電圧を制御する。これにより、第２ドライバチップ２０４は、各列の薄膜トランジスタに順次連通され、各薄膜トランジスタに順次充電する。第１ドライバチップ２０２及び第２ドライバチップ２０４が第１表示領域１０２及び第２表示領域１０４を同期して駆動することにより、表示パネル１０全体のデータ線の長さは半分に短縮され、信号の減衰は効果的に低減される。
【００２９】
図５及び図６に示すように、ドライバチップは、走査線にハイレベル信号を送信し、すなわち、一行の薄膜トランジスタを連通する。ドライバチップは、さらに連通した薄膜トランジスタを介して画素電極にバイアス電圧を印加し、すなわち、画素電極を充電する。解像度が２１６０＊３８２０の表示パネル１０において、１フレームの画面には、ハイレベル信号を順次受信して連通する必要がある薄膜トランジスタが３８２０行もあり、普通の表示モジュールでは、一つのドライバチップが１行の薄膜トランジスタにハイレベル信号を順次送信し、つまり、１フレームの画面の時間には３８２０個のハイレベル信号を送信して初めて所要の解像度を達することができる。同図には、ｖｇｌはローレベル信号を示し、ｖｇｈはハイレベル信号を示し、Ｇａｔｅ１〜Ｇａｔｅ３８２０は１本目から３８２０本の走査線のゲート電圧曲線を示し、Ａ／Ｂ  Ｇａｔｅ１〜Ａ／Ｂ  Ｇａｔｅ１９１０は第１表示領域１０２／第２表示領域１０４の走査線のゲート電圧を示し、ゲート電圧曲線におけるそれぞれのピークは一つのハイレベル信号を示す。１フレームの画面の時間は一般に１６．６６７ｍｓであり、このような極めて短い時間内で３８２０個のハイレベル信号を送信することは、ドライバチップに対する負荷が大きいため、表示パネル１０の作業効率が低く、画像の表示効果が悪い。本発明で提供される表示モジュールにおいて、第１ドライバチップ２０２及び第２ドライバチップ２０４は同時に動作し、それぞれ走査線にハイレベル信号を送信し、それぞれ一部の薄膜トランジスタを制御し、さらにそれぞれ１９１０行の薄膜トランジスタを駆動し、つまり、１フレームの画面の時間内で、第１ドライバチップ２０２及び第２ドライバチップ２０４はそれぞれ１９１０個のハイレベル信号を送信することにより、ドライバチップの負荷は半分に低減され、表示パネル１０の作業効率は向上し、画像の表示効果は良くなる。
【００３０】
本実施例において、フレキシブル回路基板は、第１フレキシブル回路基板３０２及び第２フレキシブル回路基板３０４を含む。第１フレキシブル回路基板３０２の入力端は、システムボードに接続され、第１フレキシブル回路基板３０２の出力端は、第１部分１４２に接続される。第１フレキシブル回路基板３０２は、分岐端をさらに含む。第２フレキシブル回路基板３０４の入力端は、分岐端に接続され、第２フレキシブル回路基板３０４の出力端は、第２部分１４４に接続される。一実施形態では、第１フレキシブル回路基板３０２と第２フレキシブル回路基板３０４との間、及び第１フレキシブル回路基板３０２とシステムボードとの間は、いずれもコネクタ３０６により接続される。システムボードは、第１フレキシブル回路基板３０２及び第２フレキシブル回路基板３０４によりそれぞれ第１ドライバチップ２０２及び第２ドライバチップ２０４に接続される。システムボードは、第１ドライバチップ２０２及び第２ドライバチップ２０４に画像信号を送信し、画像内容が表示されるように表示パネル１０を制御するとともに、第１ドライバチップ２０２及び第２ドライバチップ２０４に第１同期信号及び第２同期信号を送信し、それぞれ第１表示領域１０２及び第２表示領域１０４に画像が同期して表示されるように駆動するように第１ドライバチップ２０２及び第２ドライバチップ２０４を制御する。また、第１表示領域１０２及び第２表示領域１０４は、共同で画像信号に含まれる完全な画像内容を表示する。第１ドライバチップ２０２及び第２ドライバチップ２０４は、それぞれ画像が同期して出力されるように第１表示領域１０２及び第２表示領域１０４を駆動し、つまり、第１ドライバチップ２０２及び第２ドライバチップ２０４により各画素電極の充電を同時に制御する。これにより、液晶ディスプレイの高解像度が保証され、画素の充電時間が半分に低減される。一方、第１ドライバチップ２０２及び第２ドライバチップ２０４は同時に作業を駆動することにより、それぞれのドライバチップの負荷が低減され、充電信号の減衰が速いという問題が解決され、大型ディスプレイの表示効果が向上する。
【００３１】
本実施例において、図２に示すように、第１フレキシブル回路基板３０２は、第１部分１４２の辺縁から表示パネル１０の非表示面側に向かって曲折され、第２フレキシブル回路基板３０４は、第２部分１４４の辺縁から表示パネル１０の非表示面側に向かって曲折される。表示モジュールは、バックライトモジュール１６をさらに含む。バックライトモジュール１６は、表示パネル１０の非表示面側に位置し、表示パネル１０にバックライトを供給する。表示パネル１０は、それ自体が発光せず、バックライトモジュール１６によって供給されたバックライトが表示パネル１０を透過することにより発光して画像を表示する。第１フレキシブル回路基板３０２及び第２フレキシブル回路基板３０４は、表示パネル１０の非表示面側に配置され、且つバックライトモジュール１６を干渉しないように配置される。これにより、表示パネル１０の画像表示が妨害されないとともに、バックライトモジュール１６の取り付けにも影響を与えない。
【００３２】
本発明によれば、液晶ディスプレイが提供される。前記液晶ディスプレイは、前記表示モジュールを含む。第１ドライバチップ２０２及び第２ドライバチップ２０４は、それぞれ画像が同期して出力されるように第１表示領域１０２及び第２表示領域１０４を駆動する。つまり、第１ドライバチップ２０２及び第２ドライバチップ２０４により各画素電極の充電を同時に制御する。これにより、液晶ディスプレイの高解像度は保証され、画素の充電時間が半分になる。一方、第１ドライバチップ２０２及び第２ドライバチップ２０４が同時に作業を駆動することにより、それぞれのドライバチップの負荷が低減され、充電信号の減衰が速いという問題が解決され、大型ディスプレイの表示効果が向上する。
【００３３】
図４は、本発明の実施例で提供される液晶ディスプレイの構造の上面図である。同図に示すように、液晶ディスプレイはセンシングユニットをさらに含む。センシングユニットは、表示パネル１０の液晶画素ユニットに嵌合され、ユーザの液晶ディスプレイへのタッチによる電気信号を受信する。具体的には、センシングユニットは、酸化インジウムスズ（ＩＴＯ）ガラスＩＴＯ薄膜材料を用い、製品構造及びタッチチップの設計要求に応じて作製されたセンサである。センシングユニットは、タッチチップに電気的に接続される。タッチチップは、センシングユニットが受信した操作者が液晶ディスプレイにタッチして発生したアナログ信号をデジタル信号に変換し、分析のためにシステムボードに送信する。液晶画素ユニットにセンシングユニットを嵌入する方法（Ｉｎ−ｃｅｌｌ技術）によれば、液晶ディスプレイはタッチ機能を有し、液晶ディスプレイの薄型及び軽量の特徴が保持される。
【００３４】
本実施例において、センシングユニットは、複数の第１センシングユニット４０２及び複数の第２センシングユニット４０４を含む。第１センシングユニット４０２は、第１表示領域１０２にアレイに配置され、第２センシングユニット４０４は、第２表示領域１０４にアレイに配置される。第１ドライバチップ２０２は、第１センシングユニット４０２に電気的に接続され、第１センシングユニット４０２が伝送した電気信号を処理し、第２ドライバチップ２０４は、第２センシングユニット４０４に電気的に接続され、第２センシングユニット４０４が伝送した電気信号を処理する。第１センシングユニット４０２及び第２センシングユニット４０４は、それぞれ独立して動作する。第１ドライバチップ２０２及び第２ドライバチップ２０４は、いずれもタッチチップの機能を有し、それぞれ第１センシングユニット４０２及び第２センシングユニット４０４の信号を処理する。これにより、それぞれのタッチチップの負荷は低減され、高解像度、多画素ユニットの大型液晶ディスプレイについて、タッチの精度及び信号の処理速度が向上する。図５及び図６に示すように、解像度が２１６０＊３８２０の液晶ディスプレイにおいて、各行の画素電極の充電に必要な時間をＴとすると、普通の液晶ディスプレイでは、全ての画素の充電を完成するためには３８２０Ｔもかかり、すなわち、１フレームの画面の時間の中に、画像表示のために３８２０Ｔが必要である。本発明で提供される液晶ディスプレイにおいて、第１ドライバチップ２０２及び第２ドライバチップ２０４は、ぞれぞれ第１表示領域１０２及び第２表示領域１０４の画素電極が同時に充電されるように駆動し、第１表示領域１０２及び第２表示領域１０４は、それぞれ１９１０行の画素電極を含むので、１９１０Ｔの時間内で第１表示領域１０２及び第２表示領域１０４における全ての画素電極の充電を完成することができる。つまり、１フレームの画面の時間における、完全画像を表示するための時間は１９１０Ｔである。１フレームの画面の時間が一定（１６．６６７ｍｓ）であるため、画像表示にかかる時間が減少されると、タッチチップの動作のために残される時間が長くなる。
【００３５】
第１ドライバチップ２０２及び第２ドライバチップ２０４は、それぞれ画像が同期して出力されるように第１表示領域１０２及び第２表示領域１０４を駆動し、すなわち、第１ドライバチップ２０２及び第２ドライバチップ２０４により各画素電極の充電を同時に制御することにより、液晶ディスプレイの高解像度が保証されるとともに、画素の充電時間が半分となる。一方、第１ドライバチップ２０２及び第２ドライバチップ２０４が同時に作業を駆動することにより、それぞれのドライバチップの負荷が低減され、充電信号の減衰が速いという問題が解決され、大型ディスプレイの表示効果が向上する。
【００３６】
以上の説明は、本発明に係る実施形態に過ぎず、本発明の保護範囲を制限するものではない。本発明の属する技術分野における当業者であれば、本発明の要旨を逸脱しない精神及び範囲内において、種々の修正及び置換を容易に想到することができる。これらの修正及び置換は、いずれも本発明の保護範囲内に含まれるべきであるため、本発明の保護範囲は、特許請求の範囲により定められる。
【図１】
0006778323.tif 000002
【図２】
0006778323.tif 000003
【図３】
0006778323.tif 000004
【図４】
0006778323.tif 000005
【図５】
0006778323.tif 000006
【図６】
0006778323.tif 000007